【手続補正書】
【提出日】平成28年1月29日(2016.1.29)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、前記方法は、
ソースネットワークでＱｕａｌｉｔｙ  ｏｆ  Ｓｅｒｖｉｃｅ（ＱｏＳ）フローをユーザ機器（ＵＥ）に対して確立することと、ここにおいて、前記ＱｏＳフローは、前記ＵＥにおけるアプリケーションによって使用される、
ネットワークにより開始されるＱｏＳフローのみ、またはＵＥにより開始されるフローのみ、あるいは両方をサポートするにあたりターゲットネットワークのＱｏＳ能力を学習することと、
前記ターゲットネットワークの前記ＱｏＳ能力に基づいて前記ターゲットネットワークに前記ＱｏＳフローを移行することと、
を備える、方法。
【請求項２】
前記ＱｏＳ能力に基づいて前記移行することは、
前記ターゲットネットワークがネットワークにより開始されるおよびＵＥにより開始されるＱｏＳフローの両方をサポートする場合、前記ターゲットネットワークが前記ＵＥにＱｏＳフロー情報を提供するのを、所定の時間待機することと、
前記所定の時間の満了の前に前記ターゲットネットワークが前記ＱｏＳフロー情報を提供しないと決定することに応答して、前記ターゲットネットワークで前記ＱｏＳフローの確立をＵＥが開始することと、ここにおいて、前記アプリケーションは、前記ＱｏＳフローに対する操作権を有する、
を備える、請求項１に記載の方法。
【請求項３】
前記ＱｏＳフローの確立をＵＥが前記開始することは、前記ターゲットネットワークに前記ＱｏＳフロー情報の少なくとも一部を送信することを備える、請求項２に記載の方法。
【請求項４】
１つまたは複数のＱｏＳイベントを前記アプリケーションに通知することをさらに備える、請求項１に記載の方法。
【請求項５】
前記移行することは、
前記ＵＥが前記ソースネットワークの無線アクセス技術から出て行くことに応答してＱｏＳ中断イベントを前記アプリケーションに通知することと、
前記ソースネットワークに関連付けられたＱｏＳコンテキストを前記ターゲットネットワークに関連付けられた別のＱｏＳコンテキストで置き換えることと、
ＱｏＳ構成イベントまたはＱｏＳアクティブ化イベントを前記アプリケーションに通知することと、
をさらに備える、請求項１に記載の方法。
【請求項６】
ユーザ機器（ＵＥ）であって、
前記ＵＥからのメッセージを送信するように構成された送信機と、
前記ＵＥに対するメッセージを受信するように構成された受信機と、
メモリおよび前記メモリに結合されたプロセッサと、前記メモリおよび前記プロセッサは、
ソースネットワークでＱｕａｌｉｔｙ  ｏｆ  Ｓｅｒｖｉｃｅ（ＱｏＳ）フローを前記ＵＥに対して確立することと、ここにおいて、前記ＱｏＳフローは、前記ＵＥにおけるアプリケーションによって使用される、
ネットワークにより開始されるＱｏＳフローのみ、またはＵＥにより開始されるフローのみ、あるいは両方をサポートするにあたりターゲットネットワークのＱｏＳ能力を学習することと、
前記ターゲットネットワークの前記ＱｏＳ能力に基づいて前記ターゲットネットワークに前記ＱｏＳフローを移行することと、
を行うように構成される、
を備える、ＵＥ。
【請求項７】
前記メモリおよび前記プロセッサは、
前記ターゲットネットワークがネットワークにより開始されるおよびＵＥにより開始されるＱｏＳフローの両方をサポートする場合、前記ターゲットネットワークが前記ＵＥにＱｏＳフロー情報を提供するのを、所定の時間待機することと、
前記所定の時間の満了の前に前記ターゲットネットワークが前記ＱｏＳフロー情報を提供しないと決定することに応答して、前記ターゲットネットワークで前記ＱｏＳフローの確立をＵＥが開始することと、ここにおいて、前記アプリケーションは、前記ＱｏＳフローに対する操作権を有する、
を行うことによって前記ＱｏＳ能力に基づいて移行するようにさらに構成される、請求項６に記載のＵＥ。
【請求項８】
前記メモリおよびプロセッサは、前記ターゲットネットワークに前記ＱｏＳフロー情報の少なくとも一部を送信することによって前記ＱｏＳフローの確立をＵＥが開始するようにさらに構成される、請求項７に記載のＵＥ。
【請求項９】
前記メモリおよびプロセッサは、１つまたは複数のＱｏＳイベントを前記アプリケーションに通知するようにさらに構成される、請求項６に記載のＵＥ。
【請求項１０】
前記メモリおよび前記プロセッサは、
前記ＵＥが前記ソースネットワークの無線アクセス技術から出て行くことに応答してＱｏＳ中断イベントを前記アプリケーションに通知することと、
前記ソースネットワークに関連付けられたＱｏＳコンテキストを前記ターゲットネットワークに関連付けられた別のＱｏＳコンテキストで置き換えることと、
ＱｏＳ構成イベントまたはＱｏＳアクティブ化イベントを前記アプリケーションに通知することと、
によって前記ＱｏＳフローを移行するようにさらに構成される、請求項６に記載のＵＥ。
【請求項１１】
ワイヤレス通信の装置であって、前記装置は、
ソースネットワークでＱｕａｌｉｔｙ  ｏｆ  Ｓｅｒｖｉｃｅ（ＱｏＳ）フローをユーザ機器（ＵＥ）に対して確立するための手段と、ここにおいて、前記ＱｏＳフローは、前記ＵＥにおけるアプリケーションによって使用される、
ネットワークにより開始されるＱｏＳフローのみ、またはＵＥにより開始されるフローのみ、あるいは両方をサポートするにあたりターゲットネットワークのＱｏＳ能力を学習するための手段と、
前記ターゲットネットワークの前記ＱｏＳ能力に基づいて前記ターゲットネットワークに前記ＱｏＳフローを移行するための手段と、
を備える、装置。
【請求項１２】
前記ＱｏＳ能力に基づいて前記移行するための手段は、
前記ターゲットネットワークがネットワークにより開始されるおよびＵＥにより開始されるＱｏＳフローの両方をサポートする場合、前記ターゲットネットワークが前記ＵＥにＱｏＳフロー情報を提供するのを、所定の時間待機するための手段と、
前記所定の時間の満了の前に前記ターゲットネットワークが前記ＱｏＳフロー情報を提供しないと決定することに応答して、前記ターゲットネットワークで前記ＱｏＳフローの確立をＵＥが開始するための手段と、ここにおいて、前記アプリケーションは、前記ＱｏＳフローに対する操作権を有する、
を備える、請求項１１に記載の装置。
【請求項１３】
前記ＱｏＳフローの確立をＵＥが前記開始するための手段は、前記ターゲットネットワークに前記ＱｏＳフロー情報の少なくとも一部を送信するための手段を備える、請求項１２に記載の装置。
【請求項１４】
１つまたは複数のＱｏＳイベントを前記アプリケーションに通知するための手段をさらに備える、請求項１１に記載の装置。
【請求項１５】
前記移行するための手段は、
前記ＵＥが前記ソースネットワークの無線アクセス技術から出て行くことに応答してＱｏＳ中断イベントを前記アプリケーションに通知するための手段と、
前記ソースネットワークに関連付けられたＱｏＳコンテキストを前記ターゲットネットワークに関連付けられた別のＱｏＳコンテキストで置き換えるための手段と、
ＱｏＳ構成イベントまたはＱｏＳアクティブ化イベントを前記アプリケーションに通知するための手段と、
をさらに備える、請求項１１に記載の装置。
【請求項１６】
その上に命令を記憶した非一時的コンピュータ可読媒体であって、前記命令はユーザ機器（ＵＥ）に
ソースネットワークでＱｕａｌｉｔｙ  ｏｆ  Ｓｅｒｖｉｃｅ（ＱｏＳ）フローをユーザ機器（ＵＥ）に対して確立することと、ここにおいて、前記ＱｏＳフローは、前記ＵＥにおけるアプリケーションによって使用される、
ネットワークにより開始されるＱｏＳフローのみ、またはＵＥにより開始されるフローのみ、あるいは両方をサポートするにあたりターゲットネットワークのＱｏＳ能力を学習することと、
前記ターゲットネットワークの前記ＱｏＳ能力に基づいて前記ターゲットネットワークに前記ＱｏＳフローを移行することと、
を行わせるよう実行可能なコードを備える、コンピュータ可読媒体。
【請求項１７】
前記ＱｏＳ能力に基づいて前記移行するためのコードは、
前記ターゲットネットワークがネットワークにより開始されるおよびＵＥにより開始されるＱｏＳフローの両方をサポートする場合、前記ターゲットネットワークが前記ＵＥにＱｏＳフロー情報を提供するのを、所定の時間待機するためのコードと、
前記所定の時間の満了の前に前記ターゲットネットワークが前記ＱｏＳフロー情報を提供しないと決定することに応答して、前記ターゲットネットワークで前記ＱｏＳフローの確立をＵＥが開始するためのコードと、ここにおいて、前記アプリケーションは、前記ＱｏＳフローに対する操作権を有する、
を備える、請求項１６に記載のコンピュータ可読媒体。
【請求項１８】
前記ＱｏＳフローの確立をＵＥが前記開始するためのコードは、前記ターゲットネットワークに前記ＱｏＳフロー情報の少なくとも一部を送信するためのコードを備える、請求項１７に記載のコンピュータ可読媒体。
【請求項１９】
１つまたは複数のＱｏＳイベントを前記アプリケーションに通知するためのコードをさらに備える、請求項１６に記載のコンピュータ可読媒体。
【請求項２０】
前記ＱｏＳフローを前記移行するためのコードは、
前記ＵＥが前記ソースネットワークの無線アクセス技術から出て行くことに応答してＱｏＳ中断イベントを前記アプリケーションに通知することと、
前記ソースネットワークに関連付けられたＱｏＳコンテキストを前記ターゲットネットワークに関連付けられた別のＱｏＳコンテキストで置き換えることと、
ＱｏＳ構成イベントまたはＱｏＳアクティブ化イベントを前記アプリケーションに通知することと、
を行うためのコードをさらに備える、請求項１６に記載のコンピュータ可読媒体。
【手続補正２】
【補正対象書類名】明細書
【補正対象項目名】０１４３
【補正方法】変更
【補正の内容】
【０１４３】
同様に、動作は特定の順序で図面に示されているが、これは、望ましい結果を達成するために、そのような動作が、示される特定の順序でもしくは順番に実行されることを、またはすべての図示の動作が実行されることを必要とするものとして理解されるべきでない。いくつかの状況では、マルチタスキングおよび並列処理が有利であり得る。その上、上で説明された実装形態における様々なシステムコンポーネントの分離は、すべての実装形態においてそのような分離を必要とするものとして理解されるべきでなく、説明されるプログラムコンポーネントおよびシステムは、一般に、単一のソフトウェア製品において一緒に一体化されるか、または複数のソフトウェア製品にパッケージングされ得ることを理解されたい。さらに、他の実装形態が以下の特許請求の範囲内に入る。場合によっては、特許請求の範囲に記載される動作は、異なる順序で実行されてよく、それでも望ましい結果を達成することができる。
以下に本願発明の当初の特許請求の範囲に記載された発明を付記する。
［Ｃ１］
ｑｕａｌｉｔｙ  ｏｆ  ｓｅｒｖｉｃｅマネージャを備えるユーザ機器を備え、前記ｑｕａｌｉｔｙ  ｏｆ  ｓｅｒｖｉｃｅマネージャが、
第１のリソースのためのアプリケーションとネットワークの一方から、ｑｕａｌｉｔｙ  ｏｆ  ｓｅｒｖｉｃｅ情報を受信し、
前記第１のリソースを使用して、前記受信されたｑｕａｌｉｔｙ  ｏｆ  ｓｅｒｖｉｃｅ情報に少なくとも一部基づいて、通信フローを確立し、
前記第１のリソースのための前記アプリケーションまたは前記ネットワークの他方から、ｑｕａｌｉｔｙ  ｏｆ  ｓｅｒｖｉｃｅ情報を受信し、
前記アプリケーションまたは前記ネットワークの前記他方から受信された前記情報に基づいて、前記アプリケーションのための前記通信フローを修正するように構成される、ワイヤレス通信システム。
［Ｃ２］
前記ｑｕａｌｉｔｙ  ｏｆ  ｓｅｒｖｉｃｅマネージャが、前記アプリケーションと前記ネットワークの前記一方から受信された前記ｑｕａｌｉｔｙ  ｏｆ  ｓｅｒｖｉｃｅ情報と、前記アプリケーションと前記ネットワークの前記他方から受信された前記ｑｕａｌｉｔｙ  ｏｆ  ｓｅｒｖｉｃｅ情報との比較に基づいて、前記通信フローをさらに修正するように構成される、Ｃ１に記載のワイヤレス通信システム。
［Ｃ３］
通信フローを確立することが、アプリケーションのために、第１の通信ネットワークを通じて、前記ｑｕａｌｉｔｙ  ｏｆ  ｓｅｒｖｉｃｅ情報に従って通信フローを確立することを備え、前記ｑｕａｌｉｔｙ  ｏｆ  ｓｅｒｖｉｃｅマネージャがさらに、前記アプリケーションに対して透過的に、前記第１の通信フローのための第２の通信ネットワークへ切り替えるように構成される、Ｃ１に記載のワイヤレス通信システム。
［Ｃ４］
前記第１の通信ネットワークが第１の無線アクセス技術を利用し、前記第２の通信ネットワークが第２の無線アクセス技術を利用する、Ｃ１に記載のワイヤレス通信システム。
［Ｃ５］
前記第１の通信ネットワークが第１のネットワーク事業者と関連付けられ、前記第２の通信ネットワークが第２のネットワーク事業者と関連付けられる、Ｃ１に記載のワイヤレス通信システム。
［Ｃ６］
前記アプリケーションからの前記ｑｕａｌｉｔｙ  ｏｆ  ｓｅｒｖｉｃｅ情報が、要求されたｑｕａｌｉｔｙ  ｏｆ  ｓｅｒｖｉｃｅフローについての情報を備え、
前記ｑｕａｌｉｔｙ  ｏｆ  ｓｅｒｖｉｃｅマネージャがさらに、前記要求されたｑｕａｌｉｔｙ  ｏｆ  ｓｅｒｖｉｃｅフローについての前記情報が前記ネットワークによって開始される既存のｑｕａｌｉｔｙ  ｏｆ  ｓｅｒｖｉｃｅフローについての情報と一致するかどうかを判定するように構成される、Ｃ１に記載のワイヤレス通信システム。
［Ｃ７］
前記要求されたｑｕａｌｉｔｙ  ｏｆ  ｓｅｒｖｉｃｅフローについての前記情報が、パケットフィルタと、ｑｕａｌｉｔｙ  ｏｆ  ｓｅｒｖｉｃｅパラメータのセットとを備える、Ｃ６に記載のワイヤレス通信システム。
［Ｃ８］
前記ｑｕａｌｉｔｙ  ｏｆ  ｓｅｒｖｉｃｅマネージャがさらに、前記要求されたｑｕａｌｉｔｙ  ｏｆ  ｓｅｒｖｉｃｅフローおよび前記既存のｑｕａｌｉｔｙ  ｏｆ  ｓｅｒｖｉｃｅフローについての前記情報に基づいて、前記既存のｑｕａｌｉｔｙ  ｏｆ  ｓｅｒｖｉｃｅフローを修正するかどうかを判定するように構成される、Ｃ６に記載のワイヤレス通信システム。
［Ｃ９］
前記ネットワークからの前記ｑｕａｌｉｔｙ  ｏｆ  ｓｅｒｖｉｃｅ情報が、要求されたｑｕａｌｉｔｙ  ｏｆ  ｓｅｒｖｉｃｅフローについての情報を備え、
前記ｑｕａｌｉｔｙ  ｏｆ  ｓｅｒｖｉｃｅマネージャがさらに、前記要求されたｑｕａｌｉｔｙ  ｏｆ  ｓｅｒｖｉｃｅフローについての前記情報が前記アプリケーションまたは前記ネットワークのいずれかによって開始される既存のｑｕａｌｉｔｙ  ｏｆ  ｓｅｒｖｉｃｅフローと一致するかどうかを判定するように構成される、Ｃ１に記載のワイヤレス通信システム。
［Ｃ１０］
前記要求されたｑｕａｌｉｔｙ  ｏｆ  ｓｅｒｖｉｃｅフローについての前記情報が、パケットフィルタと、ｑｕａｌｉｔｙ  ｏｆ  ｓｅｒｖｉｃｅパラメータのセットとを備える、Ｃ９に記載のワイヤレス通信システム。
［Ｃ１１］
前記ｑｕａｌｉｔｙ  ｏｆ  ｓｅｒｖｉｃｅマネージャがさらに、前記要求されたｑｕａｌｉｔｙ  ｏｆ  ｓｅｒｖｉｃｅフローおよび前記既存のｑｕａｌｉｔｙ  ｏｆ  ｓｅｒｖｉｃｅフローについての前記情報に基づいて、前記既存のｑｕａｌｉｔｙ  ｏｆ  ｓｅｒｖｉｃｅフローを修正するかどうかを判定するように構成される、Ｃ９に記載のワイヤレス通信システム。
［Ｃ１２］
前記アプリケーションからの前記ｑｕａｌｉｔｙ  ｏｆ  ｓｅｒｖｉｃｅ情報が、ｑｕａｌｉｔｙ  ｏｆ  ｓｅｒｖｉｃｅフローに対する要求を備え、
前記ネットワークからの前記ｑｕａｌｉｔｙ  ｏｆ  ｓｅｒｖｉｃｅ情報が、前記ネットワークによって開始されるｑｕａｌｉｔｙ  ｏｆ  ｓｅｒｖｉｃｅフローが確立されているかどうかを示す情報を備え、
前記ｑｕａｌｉｔｙ  ｏｆ  ｓｅｒｖｉｃｅマネージャが、前記ネットワークによって開始される前記ｑｕａｌｉｔｙ  ｏｆ  ｓｅｒｖｉｃｅフローが確立されているかどうかを示す、前記ｑｕａｌｉｔｙ  ｏｆ  ｓｅｒｖｉｃｅ情報を受信するのを、設定可能な時間の間待機するように構成される、Ｃ１に記載のワイヤレス通信システム。
［Ｃ１３］
前記ｑｕａｌｉｔｙ  ｏｆ  ｓｅｒｖｉｃｅマネージャがさらに、前記ネットワークからの前記受信されたｑｕａｌｉｔｙ  ｏｆ  ｓｅｒｖｉｃｅ情報に基づいて、ｑｕａｌｉｔｙ  ｏｆ  ｓｅｒｖｉｃｅ情報を前記アプリケーションに通知するように構成される、Ｃ１に記載のワイヤレス通信システム。
［Ｃ１４］
前記ｑｕａｌｉｔｙ  ｏｆ  ｓｅｒｖｉｃｅマネージャがさらに、ｑｕａｌｉｔｙ  ｏｆ  ｓｅｒｖｉｃｅ情報に対する前記アプリケーションからの問い合わせを受信するように構成される、Ｃ１３に記載のワイヤレス通信システム。
［Ｃ１５］
前記ユーザ機器が、ソースネットワークからターゲットネットワークに移行する時、前記ｑｕａｌｉｔｙ  ｏｆ  ｓｅｒｖｉｃｅマネージャがさらに、前記ターゲットネットワークのｑｕａｌｉｔｙ  ｏｆ  ｓｅｒｖｉｃｅ能力を判定するように構成される、Ｃ１に記載のワイヤレス通信システム。
［Ｃ１６］
前記ｑｕａｌｉｔｙ  ｏｆ  ｓｅｒｖｉｃｅマネージャが、前記ターゲットネットワークが前記ネットワークによって開始されるｑｕａｌｉｔｙ  ｏｆ  ｓｅｒｖｉｃｅを使用できると判定し、
前記ネットワークからの前記ｑｕａｌｉｔｙ  ｏｆ  ｓｅｒｖｉｃｅ情報が、前記ネットワークによって開始されるｑｕａｌｉｔｙ  ｏｆ  ｓｅｒｖｉｃｅフローが確立されているかどうかを示す情報を備え、
前記ｑｕａｌｉｔｙ  ｏｆ  ｓｅｒｖｉｃｅマネージャがさらに、前記ネットワークによって開始される前記ｑｕａｌｉｔｙ  ｏｆ  ｓｅｒｖｉｃｅフローが確立されているかどうかを示す情報を受信するのを、設定可能な時間の間待機するように構成される、Ｃ１５に記載のワイヤレス通信システム。
［Ｃ１７］
前記ｑｕａｌｉｔｙ  ｏｆ  ｓｅｒｖｉｃｅマネージャが、前記ネットワークによって開始されるｑｕａｌｉｔｙ  ｏｆ  ｓｅｒｖｉｃｅフローが確立されていることを示すｑｕａｌｉｔｙ  ｏｆ  ｓｅｒｖｉｃｅ情報を受信する前に、前記設定可能な時間が経過した場合、前記ｑｕａｌｉｔｙ  ｏｆ  ｓｅｒｖｉｃｅマネージャがさらに、前記ユーザ機器によって開始されるｑｕａｌｉｔｙ  ｏｆ  ｓｅｒｖｉｃｅを使用して、前記アプリケーションのために前記ｑｕａｌｉｔｙ  ｏｆ  ｓｅｒｖｉｃｅ通信フローを確立するように構成される、Ｃ１６に記載のワイヤレス通信システム。
［Ｃ１８］
前記ｑｕａｌｉｔｙ  ｏｆ  ｓｅｒｖｉｃｅマネージャが、前記ネットワークによって開始されるｑｕａｌｉｔｙ  ｏｆ  ｓｅｒｖｉｃｅを前記ターゲットネットワークが使用できないと判定し、前記ｑｕａｌｉｔｙ  ｏｆ  ｓｅｒｖｉｃｅマネージャがさらに、前記ユーザ機器によって開始されるｑｕａｌｉｔｙ  ｏｆ  ｓｅｒｖｉｃｅを使用して、前記アプリケーションのために前記ｑｕａｌｉｔｙ  ｏｆ  ｓｅｒｖｉｃｅ通信フローを確立するように構成される、Ｃ１５に記載のワイヤレス通信システム。
［Ｃ１９］
前記ｑｕａｌｉｔｙ  ｏｆ  ｓｅｒｖｉｃｅマネージャがさらに、ｑｕａｌｉｔｙ  ｏｆ  ｓｅｒｖｉｃｅイベントについて前記アプリケーションに通知するように構成される、Ｃ１５に記載のワイヤレス通信システム。
［Ｃ２０］
第１のリソースのためのアプリケーションまたはネットワークの一方から、ｑｕａｌｉｔｙ  ｏｆ  ｓｅｒｖｉｃｅ情報を受信することと、
前記第１のリソースを使用して、前記受信されたｑｕａｌｉｔｙ  ｏｆ  ｓｅｒｖｉｃｅ情報に少なくとも一部基づいて、通信フローを確立することと、
前記第１のリソースのための前記アプリケーションまたは前記ネットワークの他方から、ｑｕａｌｉｔｙ  ｏｆ  ｓｅｒｖｉｃｅ情報を受信することと、
前記アプリケーションまたは前記ネットワークの前記他方から受信された前記情報に基づいて、前記アプリケーションのための前記通信フローを修正することとを備える、ワイヤレス通信システムにおいて実施される方法。
［Ｃ２１］
前記アプリケーションと前記ネットワークの前記一方から受信された前記ｑｕａｌｉｔｙ  ｏｆ  ｓｅｒｖｉｃｅ情報と、前記アプリケーションと前記ネットワークの前記他方から受信された前記ｑｕａｌｉｔｙ  ｏｆ  ｓｅｒｖｉｃｅ情報との比較に基づいて、前記通信フローを修正することをさらに備える、Ｃ２０に記載の方法。
［Ｃ２２］
通信フローを確立することが、アプリケーションのために、第１の通信ネットワークを通じて、前記ｑｕａｌｉｔｙ  ｏｆ  ｓｅｒｖｉｃｅ情報に従って通信フローを確立することを備え、前記ｑｕａｌｉｔｙ  ｏｆ  ｓｅｒｖｉｃｅマネージャがさらに、前記アプリケーションに対して透過的に、前記第１の通信フローのための第２の通信ネットワークへ切り替えるように構成される、Ｃ２０に記載の方法。
［Ｃ２３］
前記アプリケーションからの前記ｑｕａｌｉｔｙ  ｏｆ  ｓｅｒｖｉｃｅ情報が、要求されたｑｕａｌｉｔｙ  ｏｆ  ｓｅｒｖｉｃｅフローについての情報を備え、
前記方法が、前記要求されたｑｕａｌｉｔｙ  ｏｆ  ｓｅｒｖｉｃｅフローについての前記情報が前記ネットワークによって開始される既存のｑｕａｌｉｔｙ  ｏｆ  ｓｅｒｖｉｃｅフローについての情報と一致するかどうかを判定することをさらに備える、Ｃ２０に記載の方法。
［Ｃ２４］
前記要求されたｑｕａｌｉｔｙ  ｏｆ  ｓｅｒｖｉｃｅフローについての前記情報が、パケットフィルタと、ｑｕａｌｉｔｙ  ｏｆ  ｓｅｒｖｉｃｅパラメータのセットとを備える、Ｃ２３に記載の方法。
［Ｃ２５］
前記要求されたｑｕａｌｉｔｙ  ｏｆ  ｓｅｒｖｉｃｅフローおよび前記既存のｑｕａｌｉｔｙ  ｏｆ  ｓｅｒｖｉｃｅフローについての前記情報に基づいて、前記既存のｑｕａｌｉｔｙ  ｏｆ  ｓｅｒｖｉｃｅフローを修正するかどうかを判定することをさらに備える、Ｃ２３に記載の方法。
［Ｃ２６］
前記ネットワークからの前記ｑｕａｌｉｔｙ  ｏｆ  ｓｅｒｖｉｃｅ情報が、要求されたｑｕａｌｉｔｙ  ｏｆ  ｓｅｒｖｉｃｅフローについての情報を備え、
前記方法が、前記要求されたｑｕａｌｉｔｙ  ｏｆ  ｓｅｒｖｉｃｅフローについての前記情報が前記アプリケーションまたは前記ネットワークのいずれかによって開始される既存のｑｕａｌｉｔｙ  ｏｆ  ｓｅｒｖｉｃｅフローと一致するかどうかを判定することをさらに備える、Ｃ２０に記載の方法。
［Ｃ２７］
前記要求されたｑｕａｌｉｔｙ  ｏｆ  ｓｅｒｖｉｃｅフローについての前記情報が、パケットフィルタと、ｑｕａｌｉｔｙ  ｏｆ  ｓｅｒｖｉｃｅパラメータのセットとを備える、Ｃ２６に記載の方法。
［Ｃ２８］
前記要求されたｑｕａｌｉｔｙ  ｏｆ  ｓｅｒｖｉｃｅフローおよび前記既存のｑｕａｌｉｔｙ  ｏｆ  ｓｅｒｖｉｃｅフローについての前記情報に基づいて、前記既存のｑｕａｌｉｔｙ  ｏｆ  ｓｅｒｖｉｃｅフローを修正するかどうかを判定することをさらに備える、Ｃ２６に記載の方法。
［Ｃ２９］
前記アプリケーションからの前記ｑｕａｌｉｔｙ  ｏｆ  ｓｅｒｖｉｃｅ情報が、ｑｕａｌｉｔｙ  ｏｆ  ｓｅｒｖｉｃｅフローに対する要求を備え、
前記ネットワークからの前記ｑｕａｌｉｔｙ  ｏｆ  ｓｅｒｖｉｃｅ情報が、前記ネットワークによって開始されるｑｕａｌｉｔｙ  ｏｆ  ｓｅｒｖｉｃｅフローが確立されているかどうかを示す情報を備え、
前記方法が、前記ネットワークによって開始される前記ｑｕａｌｉｔｙ  ｏｆ  ｓｅｒｖｉｃｅフローが確立されているかどうかを示す、前記ｑｕａｌｉｔｙ  ｏｆ  ｓｅｒｖｉｃｅ情報を受信するのを、設定可能な時間の間待機することをさらに備える、Ｃ２０に記載の方法。
［Ｃ３０］
前記ネットワークからの前記受信されたｑｕａｌｉｔｙ  ｏｆ  ｓｅｒｖｉｃｅ情報に基づいて、ｑｕａｌｉｔｙ  ｏｆ  ｓｅｒｖｉｃｅ情報を前記アプリケーションに通知することをさらに備える、Ｃ２０に記載の方法。
［Ｃ３１］
ｑｕａｌｉｔｙ  ｏｆ  ｓｅｒｖｉｃｅ情報に対する前記アプリケーションからの問い合わせを受信することをさらに備える、Ｃ３０に記載の方法。
［Ｃ３２］
ユーザ機器がソースネットワークからターゲットネットワークに移行する時、前記ターゲットネットワークのｑｕａｌｉｔｙ  ｏｆ  ｓｅｒｖｉｃｅ能力を判定することをさらに備える、Ｃ２０に記載の方法。
［Ｃ３３］
前記ターゲットネットワークの前記ｑｕａｌｉｔｙ  ｏｆ  ｓｅｒｖｉｃｅ能力を前記判定することが、前記ターゲットネットワークが前記ネットワークによって開始されるｑｕａｌｉｔｙ  ｏｆ  ｓｅｒｖｉｃｅを使用できると判定することを備え、
前記ネットワークからの前記ｑｕａｌｉｔｙ  ｏｆ  ｓｅｒｖｉｃｅ情報が、前記ネットワークによって開始されるｑｕａｌｉｔｙ  ｏｆ  ｓｅｒｖｉｃｅフローが確立されているかどうかを示す情報を備え、
前記方法が、前記ネットワークによって開始される前記ｑｕａｌｉｔｙ  ｏｆ  ｓｅｒｖｉｃｅフローが確立されているかどうかを示す情報を受信するのを、設定可能な時間の間待機することをさらに備える、Ｃ３２に記載の方法。
［Ｃ３４］
前記ネットワークによって開始されるｑｕａｌｉｔｙ  ｏｆ  ｓｅｒｖｉｃｅフローが確立されていることを示す前記ｑｕａｌｉｔｙ  ｏｆ  ｓｅｒｖｉｃｅ情報が受信される前に、前記設定可能な時間が経過した場合、前記ユーザ機器によって開始されるｑｕａｌｉｔｙ  ｏｆ  ｓｅｒｖｉｃｅを使用して、前記アプリケーションのために前記ｑｕａｌｉｔｙ  ｏｆ  ｓｅｒｖｉｃｅ通信フローを確立することをさらに備える、Ｃ３３に記載の方法。
［Ｃ３５］
前記ターゲットネットワークの前記ｑｕａｌｉｔｙ  ｏｆ  ｓｅｒｖｉｃｅ能力を前記判定することが、前記ネットワークによって開始されるｑｕａｌｉｔｙ  ｏｆ  ｓｅｒｖｉｃｅを前記ターゲットネットワークが使用できないと判定することを備え、前記方法が、ｍ前記ユーザ機器によって開始されるｑｕａｌｉｔｙ  ｏｆ  ｓｅｒｖｉｃｅを使用して、前記アプリケーションのために前記ｑｕａｌｉｔｙ  ｏｆ  ｓｅｒｖｉｃｅ通信フローを確立することをさらに備える、Ｃ３２に記載の方法。
［Ｃ３６］
ｑｕａｌｉｔｙ  ｏｆ  ｓｅｒｖｉｃｅイベントについて前記アプリケーションに通知することをさらに備える、Ｃ３２に記載の方法。
［Ｃ３７］
通信ネットワークにおいて動作可能なワイヤレス通信装置であって、
第１のリソースのためのアプリケーションまたはネットワークの一方から、ｑｕａｌｉｔｙ  ｏｆ  ｓｅｒｖｉｃｅ情報を受信するように構成される受信機と、
前記第１のリソースを使用して、前記受信されたｑｕａｌｉｔｙ  ｏｆ  ｓｅｒｖｉｃｅ情報に少なくとも一部基づいて、通信フローを確立するように構成されるプロセッサと、
前記第１のリソースのための前記アプリケーションまたは前記ネットワークの他方から、ｑｕａｌｉｔｙ  ｏｆ  ｓｅｒｖｉｃｅ情報を受信するように構成される第２の受信機とを備え、
前記プロセッサがさらに、前記アプリケーションまたは前記ネットワークの前記他方から受信された前記情報に基づいて、前記アプリケーションのための前記通信フローを修正するように構成される、ワイヤレス通信装置。
［Ｃ３８］
前記プロセッサが、前記アプリケーションと前記ネットワークの前記一方から受信された前記ｑｕａｌｉｔｙ  ｏｆ  ｓｅｒｖｉｃｅ情報と、前記アプリケーションと前記ネットワークの前記他方から受信された前記ｑｕａｌｉｔｙ  ｏｆ  ｓｅｒｖｉｃｅ情報との比較に基づいて、前記通信フローをさらに修正するように構成される、Ｃ３７に記載のワイヤレス通信装置。
［Ｃ３９］
通信フローを確立することが、アプリケーションのために、第１の通信ネットワークを通じて、前記ｑｕａｌｉｔｙ  ｏｆ  ｓｅｒｖｉｃｅ情報に従って通信フローを確立することを備え、プロセッサがさらに、前記アプリケーションに対して透過的に、前記第１の通信フローのための第２の通信ネットワークへ切り替えるように構成される、Ｃ３７に記載のワイヤレス通信装置。
［Ｃ４０］
前記第１の通信ネットワークが第１の無線アクセス技術を利用し、前記第２の通信ネットワークが第２の無線アクセス技術を利用する、Ｃ３９に記載のワイヤレス通信装置。
［Ｃ４１］
前記第１の通信ネットワークが第１のネットワーク事業者と関連付けられ、前記第２の通信ネットワークが第２のネットワーク事業者と関連付けられる、Ｃ３９に記載のワイヤレス通信装置。
［Ｃ４２］
前記アプリケーションからの前記ｑｕａｌｉｔｙ  ｏｆ  ｓｅｒｖｉｃｅ情報が、要求されたｑｕａｌｉｔｙ  ｏｆ  ｓｅｒｖｉｃｅフローについての情報を備え、
前記プロセッサがさらに、前記要求されたｑｕａｌｉｔｙ  ｏｆ  ｓｅｒｖｉｃｅフローについての前記情報が前記ネットワークによって開始される既存のｑｕａｌｉｔｙ  ｏｆ  ｓｅｒｖｉｃｅフローについての情報と一致するかどうかを判定するように構成される、Ｃ３７に記載のワイヤレス通信装置。
［Ｃ４３］
前記要求されたｑｕａｌｉｔｙ  ｏｆ  ｓｅｒｖｉｃｅフローについての前記情報が、パケットフィルタと、ｑｕａｌｉｔｙ  ｏｆ  ｓｅｒｖｉｃｅパラメータのセットとを備える、Ｃ４２に記載のワイヤレス通信装置。
［Ｃ４４］
前記プロセッサがさらに、前記要求されたｑｕａｌｉｔｙ  ｏｆ  ｓｅｒｖｉｃｅフローおよび前記既存のｑｕａｌｉｔｙ  ｏｆ  ｓｅｒｖｉｃｅフローについての前記情報に基づいて、前記既存のｑｕａｌｉｔｙ  ｏｆ  ｓｅｒｖｉｃｅフローを修正するかどうかを判定するように構成される、Ｃ４２に記載のワイヤレス通信装置。
［Ｃ４５］
前記ネットワークからの前記ｑｕａｌｉｔｙ  ｏｆ  ｓｅｒｖｉｃｅ情報が、要求されたｑｕａｌｉｔｙ  ｏｆ  ｓｅｒｖｉｃｅフローについての情報を備え、
前記プロセッサがさらに、前記要求されたｑｕａｌｉｔｙ  ｏｆ  ｓｅｒｖｉｃｅフローについての前記情報が前記アプリケーションまたは前記ネットワークのいずれかによって開始される既存のｑｕａｌｉｔｙ  ｏｆ  ｓｅｒｖｉｃｅフローと一致するかどうかを判定するように構成される、Ｃ３７に記載のワイヤレス通信装置。
［Ｃ４６］
前記要求されたｑｕａｌｉｔｙ  ｏｆ  ｓｅｒｖｉｃｅフローについての前記情報が、パケットフィルタと、ｑｕａｌｉｔｙ  ｏｆ  ｓｅｒｖｉｃｅパラメータのセットとを備える、Ｃ４５に記載のワイヤレス通信装置。
［Ｃ４７］
前記プロセッサがさらに、前記要求されたｑｕａｌｉｔｙ  ｏｆ  ｓｅｒｖｉｃｅフローおよび前記既存のｑｕａｌｉｔｙ  ｏｆ  ｓｅｒｖｉｃｅフローについての前記情報に基づいて、前記既存のｑｕａｌｉｔｙ  ｏｆ  ｓｅｒｖｉｃｅフローを修正するかどうかを判定するように構成される、Ｃ４６に記載のワイヤレス通信装置。
［Ｃ４８］
前記アプリケーションからの前記ｑｕａｌｉｔｙ  ｏｆ  ｓｅｒｖｉｃｅ情報が、ｑｕａｌｉｔｙ  ｏｆ  ｓｅｒｖｉｃｅフローに対する要求を備え、
前記ネットワークからの前記ｑｕａｌｉｔｙ  ｏｆ  ｓｅｒｖｉｃｅ情報が、前記ネットワークによって開始されるｑｕａｌｉｔｙ  ｏｆ  ｓｅｒｖｉｃｅフローが確立されているかどうかを示す情報を備え、
前記受信機および前記第２の受信機の少なくとも１つがさらに、前記ネットワークによって開始される前記ｑｕａｌｉｔｙ  ｏｆ  ｓｅｒｖｉｃｅフローが確立されているかどうかを示す、前記ｑｕａｌｉｔｙ  ｏｆ  ｓｅｒｖｉｃｅ情報を受信するのを、設定可能な時間の間待機するように構成される、Ｃ３７に記載のワイヤレス通信装置。
［Ｃ４９］
前記プロセッサがさらに、前記ネットワークからの前記受信されたｑｕａｌｉｔｙ  ｏｆ  ｓｅｒｖｉｃｅ情報に基づいて、ｑｕａｌｉｔｙ  ｏｆ  ｓｅｒｖｉｃｅ情報を前記アプリケーションに通知するように構成される、Ｃ３７に記載のワイヤレス通信装置。
［Ｃ５０］
前記受信機および前記第２の受信機の少なくとも１つがさらに、ｑｕａｌｉｔｙ  ｏｆ  ｓｅｒｖｉｃｅ情報に対する前記アプリケーションからの問い合わせを受信するように構成される、Ｃ４９に記載のワイヤレス通信装置。
［Ｃ５１］
前記ユーザ機器が、ソースネットワークからターゲットネットワークに移行する時、前記プロセッサがさらに、前記ターゲットネットワークのｑｕａｌｉｔｙ  ｏｆ  ｓｅｒｖｉｃｅ能力を判定するように構成される、Ｃ３７に記載のワイヤレス通信装置。
［Ｃ５２］
前記プロセッサが、前記ターゲットネットワークが前記ネットワークによって開始されるｑｕａｌｉｔｙ  ｏｆ  ｓｅｒｖｉｃｅを使用できると判定し、
前記ネットワークからの前記ｑｕａｌｉｔｙ  ｏｆ  ｓｅｒｖｉｃｅ情報が、前記ネットワークによって開始されるｑｕａｌｉｔｙ  ｏｆ  ｓｅｒｖｉｃｅフローが確立されているかどうかを示す情報を備え、
前記受信機および前記第２の受信機の少なくとも１つがさらに、前記ネットワークによって開始される前記ｑｕａｌｉｔｙ  ｏｆ  ｓｅｒｖｉｃｅフローが確立されているかどうかを示す情報を受信するのを、設定可能な時間の間待機するように構成される、Ｃ５１に記載のワイヤレス通信装置。
［Ｃ５３］
前記受信機が、前記ネットワークによって開始されるｑｕａｌｉｔｙ  ｏｆ  ｓｅｒｖｉｃｅフローが確立されていることを示すｑｕａｌｉｔｙ  ｏｆ  ｓｅｒｖｉｃｅ情報を受信する前に、前記設定可能な時間が経過した場合、前記プロセッサがさらに、前記ユーザ機器によって開始されるｑｕａｌｉｔｙ  ｏｆ  ｓｅｒｖｉｃｅを使用して、前記アプリケーションのために前記ｑｕａｌｉｔｙ  ｏｆ  ｓｅｒｖｉｃｅ通信フローを確立するように構成される、Ｃ５２に記載のワイヤレス通信装置。
［Ｃ５４］
前記プロセッサが、前記ネットワークによって開始されるｑｕａｌｉｔｙ  ｏｆ  ｓｅｒｖｉｃｅを前記ターゲットネットワークが使用できないと判定し、前記プロセッサがさらに、前記ユーザ機器によって開始されるｑｕａｌｉｔｙ  ｏｆ  ｓｅｒｖｉｃｅを使用して、前記アプリケーションのために前記ｑｕａｌｉｔｙ  ｏｆ  ｓｅｒｖｉｃｅ通信フローを確立するように構成される、Ｃ５１に記載のワイヤレス通信装置。
［Ｃ５５］
前記プロセッサがさらに、ｑｕａｌｉｔｙ  ｏｆ  ｓｅｒｖｉｃｅイベントについて前記アプリケーションに通知するように構成される、Ｃ３７に記載のワイヤレス通信装置。
［Ｃ５６］
通信ネットワークにおいて動作可能なワイヤレス通信装置であって、
第１のリソースのためのアプリケーションまたはネットワークの一方から、ｑｕａｌｉｔｙ  ｏｆ  ｓｅｒｖｉｃｅ情報を受信するための手段と、
前記第１のリソースを使用して、前記受信されたｑｕａｌｉｔｙ  ｏｆ  ｓｅｒｖｉｃｅ情報に少なくとも一部基づいて、通信フローを確立するための手段と、
前記第１のリソースのための前記アプリケーションまたは前記ネットワークの他方から、ｑｕａｌｉｔｙ  ｏｆ  ｓｅｒｖｉｃｅ情報を受信するための手段と、
前記アプリケーションまたは前記ネットワークの前記他方から受信された前記情報に基づいて、前記アプリケーションのための前記通信フローを修正するための手段とを備える、ワイヤレス通信装置。
［Ｃ５７］
前記ｑｕａｌｉｔｙ  ｏｆ  ｓｅｒｖｉｃｅマネージャが、前記アプリケーションと前記ネットワークの前記一方から受信された前記ｑｕａｌｉｔｙ  ｏｆ  ｓｅｒｖｉｃｅ情報と、前記アプリケーションと前記ネットワークの前記他方から受信された前記ｑｕａｌｉｔｙ  ｏｆ  ｓｅｒｖｉｃｅ情報との比較に基づいて、前記通信フローをさらに修正するように構成される、Ｃ５６に記載のワイヤレス通信装置。
［Ｃ５８］
通信フローを確立することが、アプリケーションのために、第１の通信ネットワークを通じて、前記ｑｕａｌｉｔｙ  ｏｆ  ｓｅｒｖｉｃｅ情報に従って通信フローを確立することを備え、前記ｑｕａｌｉｔｙ  ｏｆ  ｓｅｒｖｉｃｅマネージャがさらに、前記アプリケーションに対して透過的に、前記第１の通信フローのための第２の通信ネットワークへ切り替えるように構成される、Ｃ５６に記載のワイヤレス通信装置。
［Ｃ５９］
前記第１の通信ネットワークが第１の無線アクセス技術を利用し、前記第２の通信ネットワークが第２の無線アクセス技術を利用する、Ｃ５６に記載のワイヤレス通信装置。
［Ｃ６０］
前記第１の通信ネットワークが第１のネットワーク事業者と関連付けられ、前記第２の通信ネットワークが第２のネットワーク事業者と関連付けられる、Ｃ５６に記載のワイヤレス通信装置。
［Ｃ６１］
前記アプリケーションからの前記ｑｕａｌｉｔｙ  ｏｆ  ｓｅｒｖｉｃｅ情報が、要求されたｑｕａｌｉｔｙ  ｏｆ  ｓｅｒｖｉｃｅフローについての情報を備え、
前記装置が、前記要求されたｑｕａｌｉｔｙ  ｏｆ  ｓｅｒｖｉｃｅフローについての前記情報が前記ネットワークによって開始される既存のｑｕａｌｉｔｙ  ｏｆ  ｓｅｒｖｉｃｅフローについての情報と一致するかどうかを判定するための手段をさらに備える、Ｃ５６に記載のワイヤレス通信装置。
［Ｃ６２］
前記要求されたｑｕａｌｉｔｙ  ｏｆ  ｓｅｒｖｉｃｅフローについての前記情報が、パケットフィルタと、ｑｕａｌｉｔｙ  ｏｆ  ｓｅｒｖｉｃｅパラメータのセットとを備える、Ｃ６１に記載のワイヤレス通信装置。
［Ｃ６３］
前記要求されたｑｕａｌｉｔｙ  ｏｆ  ｓｅｒｖｉｃｅフローおよび前記既存のｑｕａｌｉｔｙ  ｏｆ  ｓｅｒｖｉｃｅフローについての前記情報に基づいて、前記既存のｑｕａｌｉｔｙ  ｏｆ  ｓｅｒｖｉｃｅフローを修正するかどうかを判定するための手段をさらに備える、Ｃ６１に記載のワイヤレス通信装置。
［Ｃ６４］
前記ネットワークからの前記ｑｕａｌｉｔｙ  ｏｆ  ｓｅｒｖｉｃｅ情報が、要求されたｑｕａｌｉｔｙ  ｏｆ  ｓｅｒｖｉｃｅフローについての情報を備え、
前記装置が、前記要求されたｑｕａｌｉｔｙ  ｏｆ  ｓｅｒｖｉｃｅフローについての前記情報が前記アプリケーションまたは前記ネットワークのいずれかによって開始される既存のｑｕａｌｉｔｙ  ｏｆ  ｓｅｒｖｉｃｅフローと一致するかどうかを判定するための手段をさらに備える、Ｃ５６に記載のワイヤレス通信装置。
［Ｃ６５］
前記要求されたｑｕａｌｉｔｙ  ｏｆ  ｓｅｒｖｉｃｅフローについての前記情報が、パケットフィルタと、ｑｕａｌｉｔｙ  ｏｆ  ｓｅｒｖｉｃｅパラメータのセットとを備える、Ｃ６４に記載のワイヤレス通信装置。
［Ｃ６６］
前記要求されたｑｕａｌｉｔｙ  ｏｆ  ｓｅｒｖｉｃｅフローおよび前記既存のｑｕａｌｉｔｙ  ｏｆ  ｓｅｒｖｉｃｅフローについての前記情報に基づいて、前記既存のｑｕａｌｉｔｙ  ｏｆ  ｓｅｒｖｉｃｅフローを修正するかどうかを判定するための手段をさらに備える、Ｃ６４に記載のワイヤレス通信装置。
［Ｃ６７］
前記アプリケーションからの前記ｑｕａｌｉｔｙ  ｏｆ  ｓｅｒｖｉｃｅ情報が、ｑｕａｌｉｔｙ  ｏｆ  ｓｅｒｖｉｃｅフローに対する要求を備え、
前記ネットワークからの前記ｑｕａｌｉｔｙ  ｏｆ  ｓｅｒｖｉｃｅ情報が、前記ネットワークによって開始されるｑｕａｌｉｔｙ  ｏｆ  ｓｅｒｖｉｃｅフローが確立されているかどうかを示す情報を備え、
前記装置が、前記ネットワークによって開始される前記ｑｕａｌｉｔｙ  ｏｆ  ｓｅｒｖｉｃｅフローが確立されているかどうかを示す、前記ｑｕａｌｉｔｙ  ｏｆ  ｓｅｒｖｉｃｅ情報を受信するのを、設定可能な時間の間待機するための手段をさらに備える、Ｃ５６に記載のワイヤレス通信装置。
［Ｃ６８］
前記ネットワークからの前記受信されたｑｕａｌｉｔｙ  ｏｆ  ｓｅｒｖｉｃｅ情報に基づいて、ｑｕａｌｉｔｙ  ｏｆ  ｓｅｒｖｉｃｅ情報を前記アプリケーションに通知するための手段をさらに備える、Ｃ５６に記載のワイヤレス通信装置。
［Ｃ６９］
ｑｕａｌｉｔｙ  ｏｆ  ｓｅｒｖｉｃｅ情報に対する前記アプリケーションからの問い合わせを受信するための手段をさらに備える、Ｃ５６に記載のワイヤレス通信装置。
［Ｃ７０］
ユーザ機器がソースネットワークからターゲットネットワークに移行する時、前記ターゲットネットワークのｑｕａｌｉｔｙ  ｏｆ  ｓｅｒｖｉｃｅ能力を判定するための手段をさらに備える、Ｃ５６に記載のワイヤレス通信装置。
［Ｃ７１］
前記ターゲットネットワークの前記ｑｕａｌｉｔｙ  ｏｆ  ｓｅｒｖｉｃｅ能力を前記判定することが、前記ターゲットネットワークが前記ネットワークによって開始されるｑｕａｌｉｔｙ  ｏｆ  ｓｅｒｖｉｃｅを使用できると判定することを備え、
前記ネットワークからの前記ｑｕａｌｉｔｙ  ｏｆ  ｓｅｒｖｉｃｅ情報が、前記ネットワークによって開始されるｑｕａｌｉｔｙ  ｏｆ  ｓｅｒｖｉｃｅフローが確立されているかどうかを示す情報を備え、
前記装置が、前記ネットワークによって開始される前記ｑｕａｌｉｔｙ  ｏｆ  ｓｅｒｖｉｃｅフローが確立されているかどうかを示す情報を受信するのを、設定可能な時間の間待機するための手段をさらに備える、Ｃ７０に記載のワイヤレス通信装置。
［Ｃ７２］
前記ネットワークによって開始されるｑｕａｌｉｔｙ  ｏｆ  ｓｅｒｖｉｃｅフローが確立されていることを示す前記ｑｕａｌｉｔｙ  ｏｆ  ｓｅｒｖｉｃｅ情報が受信される前に、前記設定可能な時間が経過した場合、前記ユーザ機器によって開始されるｑｕａｌｉｔｙ  ｏｆ  ｓｅｒｖｉｃｅを使用して、前記アプリケーションのために前記ｑｕａｌｉｔｙ  ｏｆ  ｓｅｒｖｉｃｅ通信フローを確立するための手段をさらに備える、Ｃ７１に記載のワイヤレス通信装置。
［Ｃ７３］
前記ターゲットネットワークの前記ｑｕａｌｉｔｙ  ｏｆ  ｓｅｒｖｉｃｅ能力を判定するための前記手段が、前記ネットワークによって開始されるｑｕａｌｉｔｙ  ｏｆ  ｓｅｒｖｉｃｅを前記ターゲットネットワークが使用できないと判定することを備え、前記装置が、前記ユーザ機器によって開始されるｑｕａｌｉｔｙ  ｏｆ  ｓｅｒｖｉｃｅを使用して、前記アプリケーションのために前記ｑｕａｌｉｔｙ  ｏｆ  ｓｅｒｖｉｃｅ通信フローを確立するための手段をさらに備える、Ｃ７０に記載のワイヤレス通信装置。
［Ｃ７４］
ｑｕａｌｉｔｙ  ｏｆ  ｓｅｒｖｉｃｅイベントについて前記アプリケーションに通知するための手段をさらに備える、Ｃ７０に記載のワイヤレス通信装置。
［Ｃ７５］
装置に、
第１のリソースのためのアプリケーションまたはネットワークの一方から、ｑｕａｌｉｔｙ  ｏｆ  ｓｅｒｖｉｃｅ情報を受信させ、
前記第１のリソースを使用して、前記受信されたｑｕａｌｉｔｙ  ｏｆ  ｓｅｒｖｉｃｅ情報に少なくとも一部基づいて、通信フローを確立させ、
前記第１のリソースのための前記アプリケーションまたは前記ネットワークの他方から、ｑｕａｌｉｔｙ  ｏｆ  ｓｅｒｖｉｃｅ情報を受信させ、
前記アプリケーションまたは前記ネットワークの前記他方から受信された前記情報に基づいて、前記アプリケーションのための前記通信フローを修正させるために前記装置のプロセッサによって実行可能な命令を備える、非一時的コンピュータ可読媒体。
［Ｃ７６］
前記アプリケーションからの前記ｑｕａｌｉｔｙ  ｏｆ  ｓｅｒｖｉｃｅ情報が、要求されたｑｕａｌｉｔｙ  ｏｆ  ｓｅｒｖｉｃｅフローについての情報を備え、
前記コンピュータ可読媒体が、コンピュータに、前記要求されたｑｕａｌｉｔｙ  ｏｆ  ｓｅｒｖｉｃｅフローについての前記情報が前記ネットワークによって開始される既存のｑｕａｌｉｔｙ  ｏｆ  ｓｅｒｖｉｃｅフローについての情報と一致するかどうかを判定させるためのコードをさらに備える、Ｃ７５に記載のコンピュータ可読媒体。
［Ｃ７７］
前記要求されたｑｕａｌｉｔｙ  ｏｆ  ｓｅｒｖｉｃｅフローについての前記情報が、パケットフィルタと、ｑｕａｌｉｔｙ  ｏｆ  ｓｅｒｖｉｃｅパラメータのセットとを備える、Ｃ７６に記載のコンピュータ可読媒体。
［Ｃ７８］
コンピュータに、前記要求されたｑｕａｌｉｔｙ  ｏｆ  ｓｅｒｖｉｃｅフローおよび前記既存のｑｕａｌｉｔｙ  ｏｆ  ｓｅｒｖｉｃｅフローについての前記情報に基づいて、前記既存のｑｕａｌｉｔｙ  ｏｆ  ｓｅｒｖｉｃｅフローを修正するかどうかを判定させるためのコードをさらに備える、Ｃ７６に記載のコンピュータ可読媒体。
［Ｃ７９］
前記ネットワークからの前記ｑｕａｌｉｔｙ  ｏｆ  ｓｅｒｖｉｃｅ情報が、要求されたｑｕａｌｉｔｙ  ｏｆ  ｓｅｒｖｉｃｅフローについての情報を備え、
前記コンピュータ可読媒体が、コンピュータに、前記要求されたｑｕａｌｉｔｙ  ｏｆ  ｓｅｒｖｉｃｅフローについての前記情報が前記アプリケーションまたは前記ネットワークのいずれかによって開始される既存のｑｕａｌｉｔｙ  ｏｆ  ｓｅｒｖｉｃｅフローと一致するかどうかを判定させるためのコードをさらに備える、Ｃ７５に記載のコンピュータ可読媒体。
［Ｃ８０］
前記要求されたｑｕａｌｉｔｙ  ｏｆ  ｓｅｒｖｉｃｅフローについての前記情報が、パケットフィルタと、ｑｕａｌｉｔｙ  ｏｆ  ｓｅｒｖｉｃｅパラメータのセットとを備える、Ｃ７９に記載のコンピュータ可読媒体。
［Ｃ８１］
コンピュータに、前記要求されたｑｕａｌｉｔｙ  ｏｆ  ｓｅｒｖｉｃｅフローおよび前記既存のｑｕａｌｉｔｙ  ｏｆ  ｓｅｒｖｉｃｅフローについての前記情報に基づいて、前記既存のｑｕａｌｉｔｙ  ｏｆ  ｓｅｒｖｉｃｅフローを修正するかどうかを判定させるためのコードをさらに備える、Ｃ７９に記載のコンピュータ可読媒体。
［Ｃ８２］
前記アプリケーションからの前記ｑｕａｌｉｔｙ  ｏｆ  ｓｅｒｖｉｃｅ情報が、ｑｕａｌｉｔｙ  ｏｆ  ｓｅｒｖｉｃｅフローに対する要求を備え、
前記ネットワークからの前記ｑｕａｌｉｔｙ  ｏｆ  ｓｅｒｖｉｃｅ情報が、前記ネットワークによって開始されるｑｕａｌｉｔｙ  ｏｆ  ｓｅｒｖｉｃｅフローが確立されているかどうかを示す情報を備え、
前記コンピュータ可読媒体が、前記ネットワークによって開始される前記ｑｕａｌｉｔｙ  ｏｆ  ｓｅｒｖｉｃｅフローが確立されているかどうかを示す、前記ｑｕａｌｉｔｙ  ｏｆ  ｓｅｒｖｉｃｅ情報を受信するのを、設定可能な時間の間待機するためのコードをさらに備える、Ｃ７５に記載のコンピュータ可読媒体。
［Ｃ８３］
前記ネットワークからの前記受信されたｑｕａｌｉｔｙ  ｏｆ  ｓｅｒｖｉｃｅ情報に基づいて、ｑｕａｌｉｔｙ  ｏｆ  ｓｅｒｖｉｃｅ情報を前記アプリケーションに通知するためのコードをさらに備える、Ｃ７５に記載のコンピュータ可読媒体。
［Ｃ８４］
ｑｕａｌｉｔｙ  ｏｆ  ｓｅｒｖｉｃｅ情報に対する前記アプリケーションからの問い合わせを受信するためのコードをさらに備える、Ｃ８３に記載のコンピュータ可読媒体。
［Ｃ８５］
ユーザ機器がソースネットワークからターゲットネットワークに移行する時、前記ターゲットネットワークのｑｕａｌｉｔｙ  ｏｆ  ｓｅｒｖｉｃｅ能力を判定するためのコードをさらに備える、Ｃ７５に記載のコンピュータ可読媒体。
［Ｃ８６］
前記ターゲットネットワークの前記ｑｕａｌｉｔｙ  ｏｆ  ｓｅｒｖｉｃｅ能力を前記判定することが、前記ターゲットネットワークが前記ネットワークによって開始されるｑｕａｌｉｔｙ  ｏｆ  ｓｅｒｖｉｃｅを使用できると判定することを備え、
前記ネットワークからの前記ｑｕａｌｉｔｙ  ｏｆ  ｓｅｒｖｉｃｅ情報が、前記ネットワークによって開始されるｑｕａｌｉｔｙ  ｏｆ  ｓｅｒｖｉｃｅフローが確立されているかどうかを示す情報を備え、
前記コンピュータ可読媒体が、前記ネットワークによって開始される前記ｑｕａｌｉｔｙ  ｏｆ  ｓｅｒｖｉｃｅフローが確立されているかどうかを示す前記情報を受信するのを、設定可能な時間の間待機するためのコードをさらに備える、Ｃ８５に記載のコンピュータ可読媒体。
［Ｃ８７］
前記ネットワークによって開始されるｑｕａｌｉｔｙ  ｏｆ  ｓｅｒｖｉｃｅフローが確立されていることを示す前記ｑｕａｌｉｔｙ  ｏｆ  ｓｅｒｖｉｃｅ情報が受信される前に、前記設定可能な時間が経過した場合、前記ユーザ機器によって開始されるｑｕａｌｉｔｙ  ｏｆ  ｓｅｒｖｉｃｅを使用して、前記アプリケーションのために前記ｑｕａｌｉｔｙ  ｏｆ  ｓｅｒｖｉｃｅ通信フローを確立するためのコードをさらに備える、Ｃ８６に記載のコンピュータ可読媒体。
［Ｃ８８］
前記ターゲットネットワークの前記ｑｕａｌｉｔｙ  ｏｆ  ｓｅｒｖｉｃｅ能力を前記判定することが、前記ネットワークによって開始されるｑｕａｌｉｔｙ  ｏｆ  ｓｅｒｖｉｃｅを前記ターゲットネットワークが使用できないと判定することを備え、前記コンピュータ可読媒体が、前記ユーザ機器によって開始されるｑｕａｌｉｔｙ  ｏｆ  ｓｅｒｖｉｃｅを使用して、前記アプリケーションのために前記ｑｕａｌｉｔｙ  ｏｆ  ｓｅｒｖｉｃｅ通信フローを確立するためのコードをさらに備える、Ｃ８５に記載のコンピュータ可読媒体。
［Ｃ８９］
ｑｕａｌｉｔｙ  ｏｆ  ｓｅｒｖｉｃｅイベントについて前記アプリケーションに通知するためのコードをさらに備える、Ｃ８５に記載のコンピュータ可読媒体。